【手続補正書】
【提出日】平成16年10月27日(2004.10.27)
【手続補正１】
【補正対象書類名】明細書
【補正対象項目名】発明の名称
【補正方法】変更
【補正の内容】
【発明の名称】通信端末装置、電子商取引システム及び電子商取引方法
【手続補正２】
【補正対象書類名】明細書
【補正対象項目名】特許請求の範囲
【補正方法】変更
【補正の内容】
【特許請求の範囲】
【請求項１】
販売者が提供する種々のキーワードが付された商品情報を用いて、予め購買者の嗜好に基づいてキーワードの評価値を学習したパーソナルプロファイルを記憶する記憶部と、前記購買者の検索条件に応じて商品情報を配信する商品情報サーバから配信された商品情報を、前記パーソナルプロファイルに基づいて前記購買者の嗜好に合わせて順位付ける情報フィルタ部と、前記購買者の検索条件に応じて配信された商品情報であって当該購買者と異なる他の購買者が扱う通信端末装置の記憶部に記憶されたパーソナルプロファイルを利用して順位付けされた商品情報から商品発注を受け付けるインターフェース部と、を具備することを特徴とする通信端末装置。
【請求項２】
前記購買者と異なる他の購買者が扱う通信端末装置の記憶部に記憶されたパーソナルプロファイルの利用可否を問い合わせると共に、当該パーソナルプロファイルが利用可能な場合に当該通信端末装置と通信を行う利用問合せ部を具備することを特徴とする請求項１記載の通信端末装置。
【請求項３】
前記利用問合せ部は、前記パーソナルプロファイルの利用が許可されると、前記購買者の検索条件に応じて配信された商品情報を前記他の購買者が扱う通信端末装置に転送する一方、当該通信端末装置の情報フィルタ部で前記パーソナルプロファイルに基づいて順位付けされた商品情報を受信し、前記インターフェース部は、受信した商品情報から商品発注を受け付けることを特徴とする請求項２記載の通信端末装置。
【請求項４】
前記利用問合せ部は、前記パーソナルプロファイルの利用が許可されると、前記他の購買者が扱う通信端末装置の記憶部に記憶されたパーソナルプロファイルを受信し、前記情報フィルタ部は、受信したパーソナルプロファイルに基づいて前記購買者の検索条件に応じて配信された商品情報を順位付けし、前記インターフェース部は、当該順位付けられた商品情報から商品発注を受け付けることを特徴とする請求項２記載の通信端末装置。
【請求項５】
前記利用問合せ部は、前記パーソナルプロファイルの利用が許可されると、前記他の購買者が扱う通信端末装置の記憶部に記憶されたパーソナルプロファイルを受信し、前記情報フィルタ部は、受信したパーソナルプロファイルと前記購買者のパーソナルプロファイルに基づいて前記購買者の検索条件に応じて配信された商品情報を順位付けし、前記インターフェース部は、当該順位付けられた商品情報から商品発注を受け付けることを特徴とする請求項２記載の通信端末装置。
【請求項６】
前記利用問合せ部は、前記パーソナルプロファイルの利用が許可されると、前記購買者の検索条件に応じて配信された商品情報を前記他の購買者が扱う通信端末装置に転送する一方、当該通信端末装置の情報フィルタ部で前記パーソナルプロファイルに登録された評価値に応じた特定のマークが付与された商品情報を受信し、前記インターフェース部は、受信した商品情報から商品発注を受け付けることを特徴とする請求項２記載の通信端末装置。
【請求項７】
販売者が提供する種々のキーワードが付された商品情報を用いて、予め購買者の嗜好に基づいてキーワードの評価値を学習したパーソナルプロファイルを記憶する記憶部と、前記購買者の検索条件に応じて商品情報を配信する商品情報サーバから配信された商品情報を、前記パーソナルプロファイルに基づいて前記購買者の嗜好に合わせて順位付ける情報フィルタ部と、前記購買者の検索条件に応じて配信された商品情報であって前記情報フィルタ部により前記パーソナルプロファイル及び当該購買者と異なる他の購買者が扱う通信端末装置の記憶部に記憶されたパーソナルプロファイルを利用して順位付けされた商品情報から商品発注を受け付けるインターフェース部と、を具備することを特徴とする通信端末装置。
【請求項８】
前記情報フィルタ部は、前記記憶部に記憶されたパーソナルプロファイルに登録された評価値から算出される値と、前記他の購買者が扱う通信端末装置の記憶部に記憶されたパーソナルプロファイルに登録された評価値から算出される値との和に応じて商品情報を順位付けすることを特徴とする請求項６記載の通信端末装置。
【請求項９】
前記情報フィルタ部は、前記記憶部に記憶されたパーソナルプロファイルに基づいて商品情報を順位付けると共に、前記他の購買者が扱う通信端末装置の記憶部に記憶されたパーソナルプロファイルに登録された評価値に応じた特定のマークを付与することを特徴とする請求項６記載の通信端末装置。
【請求項１０】
前記情報フィルタ部は、前記他の購買者が扱う通信端末装置の記憶部に記憶されたパーソナルプロファイルに基づいて商品情報を順位付けると共に、前記記憶部に記憶されたパーソナルプロファイルに登録された評価値に応じた特定のマークを付与することを特徴とする請求項６記載の通信端末装置。
【請求項１１】
前記インターフェース部は、前記商品情報サーバから配信された商品情報を順位付けるための前記他の購買者の指定を受け付け、前記利用問合せ部は、当該他の購買者が扱う通信端末装置の記憶部に記憶されたパーソナルプロファイルの利用可否を問い合わせることを特徴とする請求項２から請求項９のいずれかに記載の通信端末装置。
【請求項１２】
前記インターフェース部は、前記他の購買者として著名人の指定を受け付けることを特徴とする請求項１０記載の通信端末装置。
【請求項１３】
販売者が提供する種々のキーワードが付された商品情報を用いて、予め購買者の嗜好に基づいてキーワードの評価値を学習したパーソナルプロファイルを記憶する記憶部と、前記購買者の検索条件に応じて商品情報を配信する商品情報サーバから配信された商品情報を、前記パーソナルプロファイルに基づいて前記購買者の嗜好に合わせて順位付ける情報フィルタ部と、を具備する通信端末装置であって、前記情報フィルタ部は、前記パーソナルプロファイルの利用が許可された前記購買者と異なる他の購買者が扱う通信端末装置から転送された商品情報を前記パーソナルプロファイルに基づいて順位付け、当該通信端末装置に返信することを特徴とする通信端末装置。
【請求項１４】
販売者が提供する種々のキーワードが付された商品情報を記憶する商品情報記憶部と、前記商品情報記憶部から購買者に商品情報を配信する商品情報サーバと、を備えた商品情報配信ユニットと、前記商品情報を用いて、予め購買者の嗜好に基づいてキーワードの評価値を学習したパーソナルプロファイルを記憶する記憶部と、前記パーソナルプロファイルに基づいて前記商品情報サーバから配信された商品情報を前記購買者の嗜好に合わせて順位付ける情報フィルタ部と、を備えた複数の購買者端末と、いずれかの購買者端末から商品発注を受けると購買者が指定する口座から当該商品の代金の引き落としと前記販売者に対する支払いとを行う決済ユニットと、を具備する電子商取引システムであって、
前記電子商取引システムを用いて商品発注が行われる一の購買者端末に配信された商品情報に対する商品発注を、他の購買者端末の記憶部に記憶されたパーソナルプロファイルを利用して行うことを特徴とする電子商取引システム。
【請求項１５】
販売者が提供する種々のキーワードが付された商品情報を購買者に配信する商品情報サーバと、前記商品情報を用いて予め購買者の嗜好に応じてキーワードの評価値を学習したパーソナルプロファイルに基づいて、前記商品情報サーバから配信された商品情報を前記購買者の嗜好に合わせて順位付ける情報フィルタ部と、前記情報フィルタ部により順位付けられた商品情報から商品発注を受けると前記購買者が指定する口座から当該商品の代金の引き落としと前記販売者に対する支払いとを行う決済機構と、を具備した電子商取引システムであって、
前記電子商取引システムを用いて商品発注を行う一の購買者に配信された商品情報に対する商品発注を、他の購買者のパーソナルプロファイルを利用して行うことを特徴とする電子商取引システム。
【請求項１６】
購買者に配信される種々のキーワードが付された商品情報を、前記商品情報を用いて予め購買者の嗜好に応じてキーワードの評価値を学習したパーソナルプロファイルに基づいて前記購買者の嗜好に合わせて順位付けるステップと、この順位付けられた商品情報から商品発注を受けると前記購買者が指定する口座から当該商品に対する代金の引き落としと販売者に対する支払いとを行うステップと、を具備する電子商取引方法であって、
一の購買者に配信された商品情報に対する商品発注を、他の購買者のパーソナルプロファイルを利用して行うことを特徴とする電子商取引方法。
【請求項１７】
前記一の購買者に配信された商品情報を、前記他の購買者のパーソナルプロファイルに基づいて順位付け、この順位付けられた商品情報から商品発注を行うことを特徴とする請求項１６記載の電子商取引方法。
【請求項１８】
前記一の購買者に配信された商品情報を、前記一の購買者のパーソナルプロファイル及び前記他の購買者のパーソナルプロファイルに基づいて順位付け、この順位付けられた商品情報から商品発注を行うことを特徴とする請求項１６記載の電子商取引方法。
【請求項１９】
前記一の購買者に配信された商品情報を、前記一の購買者のパーソナルプロファイルに基づいて順位付ける一方、この順位付けられた商品情報に対して前記他の購買者のパーソナルプロファイルに登録された評価値に応じた特定のマークを付与し、この順位付けられると共に前記特定のマークが付与された商品情報から商品発注を行うことを特徴とする請求項１６記載の電子商取引方法。
【請求項２０】
前記一の購買者に配信された商品情報を、前記他の購買者のパーソナルプロファイルに基づいて順位付ける一方、この順位付けられた商品情報に対して前記一の購買者のパーソナルプロファイルに登録された評価値に応じた特定のマークを付与し、この順位付けられると共に前記特定のマークが付与された商品情報から商品発注を行うことを特徴とする請求項１６記載の電子商取引方法。
【手続補正３】
【補正対象書類名】明細書
【補正対象項目名】０００１
【補正方法】変更
【補正の内容】
【０００１】
【発明の属する技術分野】
本発明は、電子又は電波、光を媒体とする情報通信網を利用した通信端末装置、電子商取引システム及び電子商取引方法に関し、特に著名人の嗜好に応じた商品を一般人が購入可能な通信端末装置、電子商取引システム及び電子商取引方法に関する。
【手続補正４】
【補正対象書類名】明細書
【補正対象項目名】０００５
【補正方法】変更
【補正の内容】
【０００５】
本発明は以上のような実情に鑑みてなされたものであり、著名人のプライバシーを保護しつつ、著名人の現実の嗜好に応じた商品を購入することができる通信端末装置、電子商取引システム及び電子商取引方法を提供することを目的とする。